【事件の表示】
　特許第６４９１３７４号発明「シールリング」の特許異議申立事件について、次のとおり決定する。
【結　論】
　特許第６４９１３７４号の特許請求の範囲を訂正請求書に添付された訂正特許請求の範囲のとおり、訂正後の請求項１、２、３、４及び５について訂正することを認める。
　特許第６４９１３７４号の請求項３に係る特許を取り消す。
　同請求項５に係る特許を維持する。
　同請求項１、２及び４に係る特許についての特許異議の申立てを却下する。
【理　由】
第１　手続の経緯
　特許第６４９１３７４号の請求項１〜５に係る特許についての出願は、２０１５年（平成２７年）１月２３日（優先権主張　２０１４年（平成２６年）１月２４日）を国際出願日とする出願である特願２０１５−５５９１３４号の一部を平成３０年２月１６日に新たな特許出願としたものであって、平成３１年３月８日にその特許権の設定登録がされ、同年３月２７日に特許掲載公報が発行された。
　本件特許異議の申立ての経緯は、次のとおりである。
令和１年８月９日　　：特許異議申立人小柳恵子（以下、「異議申立人」と
　　　　　　　　　　　いう。）による請求項１〜５に係る特許に対する特
　　　　　　　　　　　許異議の申立て
同年１１月２９日付け：取消理由通知書
令和２年１月３１日　：特許権者による意見書の提出
同年３月３日付け　　：取消理由通知書（決定の予告）
同年５月１日　　　　：特許権者による意見書及び訂正請求書の提出
同年７月３日　　　　：異議申立人による意見書の提出
同年８月２６日付け　：取消理由通知書（決定の予告）
同年１０月２６日　　：特許権者による意見書の提出
第２　訂正の適否
１　訂正の内容
　令和２年５月１日に提出された訂正請求書による訂正（以下、「本件訂正」という。）の内容は次のとおりである（下線は訂正箇所であり、当審で付した。）。
（１）訂正事項１
　特許請求の範囲の請求項１を削除する。
（２）訂正事項２
　特許請求の範囲の請求項２を削除する。
（３）訂正事項３
　特許請求の範囲の請求項３に「第１溝の溝底が、周方向の中央から平面状に両側に向かって徐々に浅くなるように構成されていることを特徴とする請求項２に記載のシールリング」と記載されているのを、「
軸の外周に設けられた環状溝に装着され、相対的に回転する前記軸とハウジングとの間の環状隙間を封止して、流体圧力が変化するように構成されたシール対象領域の流体圧力を保持するシールリングであって、
　
前記環状溝における低圧側の側壁面に対して摺動するシールリングにおいて、
　
前記側壁面に対して摺動する摺動面側には、径方向の幅が一定で周方向に伸び、動圧を発生させるための第１溝と、第１溝における周方向の中央の位置から内周面に至るまで伸び、密封対象流体を第１溝内に導く第２溝とを有する動圧発生用溝が設けられており、
　
第１溝は、前記側壁面に対して摺動する摺動領域内に収まる位置に設けられていると共に、
　
第１溝のうち第２溝と繋がる部分の深さが、第２溝の深さと同じであり、かつ第１溝における第２溝と繋がる部分以外の部分の深さよりも深く構成されると共に、第１溝のうち第２溝と繋がる部分と当該繋がる部分以外の部分との間には段差が設けられると共に、
　
第１溝の溝底は、周方向の中央に比べて両端側の方が浅くなるように構成されており、
　第１溝の溝底
のうち第２溝と繋がる部分以外全体
るシ
（４）訂正事項４
　特許請求の範囲の請求項４を削除する。
（５）訂正事項５
　特許請求の範囲の請求項５に「第１溝の溝底が、周方向の中央から階段状に両側に向かって浅くなるように構成されていることを特徴とする請求項２に記載のシールリング」と記載されているのを、「
軸の外周に設けられた環状溝に装着され、相対的に回転する前記軸とハウジングとの間の環状隙間を封止して、流体圧力が変化するように構成されたシール対象領域の流体圧力を保持するシールリングであって、
　
前記環状溝における低圧側の側壁面に対して摺動するシールリングにおいて、
　
前記側壁面に対して摺動する摺動面側には、径方向の幅が一定で周方向に伸び、動圧を発生させるための第１溝と、第１溝における周方向の中央の位置から内周面に至るまで伸び、密封対象流体を第１溝内に導く第２溝とを有する動圧発生用溝が設けられており、
　
第１溝は、前記側壁面に対して摺動する摺動領域内に収まる位置に設けられていると共に、
　第１溝のうち第２溝と繋がる部分の深さが、第２溝の深さと同じであり、かつ第１溝における第２溝と繋がる部分以外の部分の深さよりも深く構成されると共に、第１溝のうち第２溝と繋がる部分と当該繋がる部分以外の部分との間には段差が設けられると共に、
　
第１溝の溝底は、周方向の中央に比べて両端側の方が浅くなるように構成されており、
　第１溝の溝底
のうち第２溝と繋がる部分以外全体
るシ
　訂正前の請求項１〜５について、請求項２は、請求項１を引用し、請求項３〜５は、請求項２を引用しているものである。
　したがって、本件訂正は一群の請求項について請求されている。
　また、訂正後の請求項３及び５に係る訂正について、特許権者は、当該訂正が認められるときには、他の請求項に係る訂正とは別の訂正単位として扱われることを求めている。
２　訂正の目的の適否、新規事項の有無、特許請求の範囲の拡張・変更の存否
（１）訂正事項１、２及び４について
　訂正事項１、２及び４は、それぞれ請求項１、２及び４を削除するというものであるから、特許請求の範囲の減縮を目的とするものであり、新規事項の追加に該当せず、実質上特許請求の範囲を拡張し、又は変更するものでもない。
（２）訂正事項３及び５について
　訂正事項３及び５は、訂正前の「第１溝の溝底が」を「第１溝の溝底のうち第２溝と繋がる部分以外全体が」とする訂正を含むものであるところ、かかる訂正は、これにより第１溝の溝底の両側に向かって浅くなる部分を限定するものであるから、特許請求の範囲の減縮を目的とするものであり、図１４及び１６に開示された実施例に基いて導き出される構成であるから、新規事項の追加に該当せず、実質上特許請求の範囲を拡張し、又は変更するものでもない。
　また、訂正事項３及び５は、上記と併せ、それぞれ請求項３及び５について、請求項１及び２との引用関係を解消するものであるから、引用関係の解消を目的としており、新規事項の追加に該当せず、実質上特許請求の範囲を拡張し、又は変更するものでもない。
３　小括
　以上のとおり、訂正事項１〜５に係る訂正は、特許法第１２０条の５第２項ただし書第１号又は第４号に掲げる事項を目的とするものであり、かつ、同条第９項で準用する同法１２６条第５項及び第６項の規定に適合する。　
　したがって、特許請求の範囲を、訂正請求書に添付された訂正特許請求の範囲のとおり、訂正後の請求項１、２、３、４及び５について訂正することを認める。
第３　取消理由の概要
　当審は、特許権者に対して令和２年３月３日付けで、本件訂正前の請求項１〜５に係る特許に対して取消理由（決定の予告）を通知したところ、上記第２に説示のとおり適法と認められる本件訂正がなされたので、当審は更に、本件訂正後の請求項３に係る特許に対して令和２年８月２６日付けで特許権者に取消理由（決定の予告）を通知した。
　当該令和２年８月２６日付けの取消理由（決定の予告）（以下、令和２年８月２６日付けの取消理由を、単に「取消理由（決定の予告）」という。）の概要は次のとおりである。
・請求項３に係る発明は、甲第２号証に記載された発明及び甲第１号証に記載された技術的事項に基いて当業者が容易に発明をすることができたものであるから、請求項３に係る特許は特許法第２９条第２項の規定に違反してされたものであり、取り消されるべきものである。
甲第１号証：国際公開第２０１３／０９４６５７号
甲第２号証：特開平９−２１０２１１号公報
　甲第１号証及び甲第２号証は、それぞれ、異議申立人が提出した甲第１号証及び甲第２号証である。
第４　当審の判断
１　本件発明
　本件特許の請求項３及び５に係る発明（以下、「本件発明３」及び「本件発明５」という。）は、次のとおりのものである。
　なお、請求項１、２及び４は、本件訂正により削除されている。
［本件発明３］
「軸の外周に設けられた環状溝に装着され、相対的に回転する前記軸とハウジングとの間の環状隙間を封止して、流体圧力が変化するように構成されたシール対象領域の流体圧力を保持するシールリングであって、
　前記環状溝における低圧側の側壁面に対して摺動するシールリングにおいて、
　前記側壁面に対して摺動する摺動面側には、径方向の幅が一定で周方向に伸び、動圧を発生させるための第１溝と、第１溝における周方向の中央の位置から内周面に至るまで伸び、密封対象流体を第１溝内に導く第２溝とを有する動圧発生用溝が設けられており、
　第１溝は、前記側壁面に対して摺動する摺動領域内に収まる位置に設けられていると共に、
　第１溝のうち第２溝と繋がる部分の深さが、第２溝の深さと同じであり、かつ第１溝における第２溝と繋がる部分以外の部分の深さよりも深く構成されると共に、第１溝のうち第２溝と繋がる部分と当該繋がる部分以外の部分との間には段差が設けられると共に、
　第１溝の溝底は、周方向の中央に比べて両端側の方が浅くなるように構成されており、
　第１溝の溝底のうち第２溝と繋がる部分以外全体が、周方向の中央から平面状に両側に向かって徐々に浅くなるように構成されていることを特徴とするシールリング。」
［本件発明５］
「軸の外周に設けられた環状溝に装着され、相対的に回転する前記軸とハウジングとの間の環状隙間を封止して、流体圧力が変化するように構成されたシール対象領域の流体圧力を保持するシールリングであって、
　前記環状溝における低圧側の側壁面に対して摺動するシールリングにおいて、
　前記側壁面に対して摺動する摺動面側には、径方向の幅が一定で周方向に伸び、動圧を発生させるための第１溝と、第１溝における周方向の中央の位置から内周面に至るまで伸び、密封対象流体を第１溝内に導く第２溝とを有する動圧発生用溝が設けられており、
　第１溝は、前記側壁面に対して摺動する摺動領域内に収まる位置に設けられていると共に、
　第１溝のうち第２溝と繋がる部分の深さが、第２溝の深さと同じであり、かつ第１溝における第２溝と繋がる部分以外の部分の深さよりも深く構成されると共に、第１溝のうち第２溝と繋がる部分と当該繋がる部分以外の部分との間には段差が設けられると共に、
　第１溝の溝底は、周方向の中央に比べて両端側の方が浅くなるように構成されており、
　第１溝の溝底のうち第２溝と繋がる部分以外全体が、周方向の中央から階段状に両側に向かって浅くなるように構成されていることを特徴とするシールリング。」
２　甲第２号証に記載の発明
（１）甲第２号証に記載の事項
　取消理由（決定の予告）において引用した甲第２号証には、図面と共に次の事項が記載されている（下線は当審で付した。）。
「【０００１】
【発明の属する技術分野】
本発明は、各種油圧機器・空圧機器の軸シールに用いられるシールリングに関するものであり
【０００２】
【従来の技術】
このようなシールリング５は、図１に示すように、軸１の外周面の対の離間した環状溝４に配され、その外周面５′をケース２の内周面６に摺接させ、両溝４、４間の油路に供給される作動油３を両シールリング５、５によりシールさせる。このようなシールリング５、５は、図２に示すように、油圧によってケース２の内周面６にシールリング５の外周面５′が押しつけられ、環状溝４の側面４ａとシールリング側面７との間で相対的に摺動しあう。
「【０００５】
【発明が解決しようとする課題】本発明は、上記のような従来技術では対応が困難であった自動変速機の軽量化に伴う課題を解決するためになされたものであり、
その目的とするところは、摩擦損失の低減と、シール性とを両立させたシールリングを提供することにある。
【０００６】
【課題を解決するための手段】
前述した課題を解決するために、本発明は溝側面と接するシールリングの側面に、油溝とこの油溝に連続する傾斜の凹部とを複数個離間して周方向に設ける手段を基本的に採用する。この手段の採用は、軸のリング溝の底部に入った作動油を油溝に取り込み、次いで、凹部に充満させ、シールリングと軸との相対的滑りにより、リング溝側面とシールリング側面との間に油膜を作り、この油膜の圧力による浮力でリング溝とシールリングとの間の相対的滑りを促進させる。この際、凹部は、クサビ効果発生面として機能し、前述した油膜の生成を確実にさせる。
【０００７】
本発明は、具体的には、相対的に回転する軸とケースとの間をシールするシールリングにおいて、該シールリングが軸の外周面に形成された環状溝内に装着され、環状溝と相対するシールリングの側面が、内周面側に開放される複数個の離間した油溝と、該油溝の周方向両側に延在しかつ該油溝に接続されるクサビ効果発生面としての傾斜状の凹部とを有するシールリングを提供する。
【０００８】上記構成の作用について記述する。
環状溝と相対するシールリングの側面が、内周面側にのみ開口した油溝と、その油溝の周方向の両側に該シールリング側面の平面と接続するクサビ効果発生傾斜面としての凹部が周方向に複数配置されている側面とすることにより、シールリングの内周面に開口した油溝から作動油を取り込み、シールリングと軸との相対的な滑りによって、作動油をシールリングのクサビ効果発生傾斜面でのクサビ効果によって、油膜を摺動面に取り込みかつ油膜圧力を発生させ、その油膜圧力による浮力で、シールリングに作用する作動油圧による荷重を低減させ、かつ環状溝とシールリング側面間に油膜を形成させることは摩擦係数を低減させる。
「【００１０】
【発明の実施の形態】以下に本発明の実施例について図により説明する。本発明の一実施例に係る
図３、図４、図５において、１は軸、２はケースであり、両部は相対的に回転しあう関係にある。軸１の外周には、対の環状溝４が形成されており、その中にシールリング本体５ａは位置し、作動油３をシールしている。このシールリング本体５ａは、油圧によってケース２の内周面に、外周面としてのたとえばシールリングのバレルフェイス面６ｂが押しつけられた状態となっている。またシールリング側面７ａは、環状溝４の側面４ａに油圧により押しつけられた状態で、環状溝側面４ａと相対的に摺動するようになっている。この実施例のシールリング本体５ａの環状溝と相対するシールリング側面７ａが、主として平面部７ａで構成されるとともに、シールリング内周面側８に開口した径方向に延在する油溝９と、その油溝９の周方向の両側に該平面部７ａと接続するクサビ効果発生傾斜面１０ａ、１０ｂとしての凹部を周方向に複数離間配置している。油溝９の径方向の寸法は、軸１に装着され、ケース２に挿入された状態で、軸１の外周面１１よりも内周側に位置するようにして決定される。
【００１１】乗用車クラスの自動変速機用のシールリングにおいては油溝９の深さ寸法は０．０５ｍｍ〜０．５ｍｍ、幅は０．１〜２ｍｍの範囲で設定され、クサビ効果発生面１０ａ、１０ｂの寸法は、図５に示すＬ寸法を０．２〜２ｍｍとし、その範囲内で深さＨ寸法が５〜２０μｍとなるように設定される。Ｈ寸法が一定の場合、Ｌ寸法が大きいほど、
クサビ効果で発生する油膜圧力によってシールリングに作用する浮力
「【００１３】実施例の図は、シールリングの両側面が平行な場合を示したが、両面がキーストン状態の場合でも、作用効果は同一であり本発明に含まれる。図４では、シールリングの内周面８と両側面７ａとは直角に繋がる場合を示したが、内周面８と側面７ａとは面取若しくは曲面で繋ぎ、油溝９が内周面８部に直接開口しないようにすると、油溝９への応力集中によるシールリングの折損が軽減され、かつ油溝への作動油の補給が容易となる。図５に示した、実施例では油溝９は矩形断面の形状を示したが、半球状等の任意形状としても良い。またクサビ効果発生面１０ａ、１０ｂについて、実施例では単一の平坦面としたが、放物線状であっても効果は同一である。また、図１０の（ａ）と（ｂ）のように、クサビ効果発生面を２段に形成し、内周側のクサビ効果発生面１０ａ、１０ｂの面積を、外周側のクサビ効果発生面１０ａ′、１０ｂ′よりも大きくすることによりシールリングにかかる浮力を内周側でさらに大きくすると、シール性能はより良好なものとなる。尚、油溝９の深さを径方向で同一とさせ、外周側のクサビ発生面としての凹部１０ａ′、１０ｂ′の深さを内周側の凹部１０ａ、１０ｂより少し浅くさせるとよい。外周側の凹部１０ａ′、１０ｂ′の径方向外側の縁を軸１の外周面より、装着時、径方向内側に位置させる。なお上述したシールリングの凹部を形成した側面形状は、片面だけでも機能を果たすが、２つの側面が投影的に同一となるように形成することが、組み付け上からは望ましい。さらに本発明のシールリングは、樹脂製であっても金属製であっても、その作用効果は同一である。シールリング側面の凹部は、射出成形時には金型で容易に形成できるため、本発明は射出成型法による樹脂製シールリングにて特に経済的に実施できる。」
（２）上記甲第２号証の記載及び図面（特に、【図１】〜【図６】）の図示内容から、甲第２号証には次の技術的事項が記載されているといえる。
・シールリング５、５は軸１の外周に形成された対の離間した環状溝４に装着されるものである。
・軸１とケース２とは相対的に回転しあう関係にある。
・両環状溝４、４に装着されたシールリング５、５によって、軸１とケース２との間に環状隙間が形成されている。
・シールリング５、５によって、前記両環状溝４、４間の油路に供給される作動油３をシールしている。
・シールリング５は、油圧によって環状溝４の側面４ａに押しつけられた状態で、環状溝側面４ａと相対的に摺動するものである。
・シールリング５の環状溝４と相対するシールリング側面７ａには、シールリング内周面側８に開口した径方向に延在する油溝９と、その油溝９の周方向の両側にシールリング側面７ａと接続するクサビ効果発生傾斜面１０ａ、１０ｂとしての凹部を周方向に複数離間配置している。
・クサビ効果発生傾斜面１０ａ、１０ｂとしての凹部は、径方向の幅がほぼ一定で周方向に伸びている（【図３】及び【図６】より。）。
・油溝９とクサビ効果発生傾斜面１０ａ、１０ｂとしての凹部は、前記側面４ａに対して摺動する摺動領域内に収まる位置に設けられている（【図４】より。）。
・油溝９は油溝９とクサビ効果発生傾斜面１０ａ、１０ｂとしての凹部と繋がる部分より深く構成されている（【図５】より。）。
・クサビ効果発生傾斜面１０ａ、１０ｂとしての凹部は、油溝９と繋がる周方向の中央に比べて両端側の方が浅くなるように構成されている（【図５】より。）。 
・クサビ効果発生傾斜面１０ａ、１０ｂとしての凹部は、全体が油溝９と繋がる周方向の中央から平面状に両側に向かって徐々に浅くなるように構成されている（【図５】より。）。
（３）上記甲第２号証に記載の事項及び認定事項を総合して本件発明３の記載ぶりに則って整理すると、甲第２号証には、次の発明（以下、「引用発明」という。）が記載されていると認められる。
［引用発明］
　「軸１の外周に形成された対の離間した環状溝４に装着され、相対的に回転する前記軸１とケース２との間に環状隙間を形成し、前記両環状溝４、４間の油路に供給される作動油３をシールしているシールリング５、５であって、
　シールリング５、５は、油圧によって環状溝４の側面４ａに押しつけられた状態で、環状溝側面４ａと相対的に摺動するものであり、
　シールリング５、５の環状溝４と相対するシールリング側面７ａには、シールリング内周面側８に開口した径方向に延在する油溝９と、その油溝９の周方向の両側にシールリング側面７ａと接続するクサビ効果発生傾斜面１０ａ、１０ｂとしての凹部を周方向に複数離間配置しており、
　クサビ効果発生傾斜面１０ａ、１０ｂとしての凹部は、径方向の幅がほぼ一定で周方向に伸びており、
　油溝９とクサビ効果発生傾斜面１０ａ、１０ｂとしての凹部は、前記側面４ａに対して摺動する摺動領域内に収まる位置に設けられており、
　油溝９は油溝９とクサビ効果発生傾斜面１０ａ、１０ｂとしての凹部と繋がる部分より深く構成されており、
　クサビ効果発生傾斜面１０ａ、１０ｂとしての凹部は、油溝９と繋がる周方向の中央に比べて両端側の方が浅くなるように構成されており、
　クサビ効果発生傾斜面１０ａ、１０ｂとしての凹部は、全体が油溝９と繋がる周方向の中央から平面状に両側に向かって徐々に浅くなるように構成されているシールリング５、５。」
３　甲第１号証に記載の事項
　取消理由（決定の予告）において引用した甲第１号証には、図面と共に次の事項が記載されている（下線は当審で付した。）。
「［０００１］　
本発明は、シールリングに関し、特に、自動車の自動変速機等の油圧機器に用いられるシールリングに関する。
「［０００２］　近年、自動車の燃費向上を図るため、自動変速機の駆動損失の低減が求められている。自動変速機には、油圧シールを目的としてシールリングが装着されるが、シールリングのフリクションロスは自動変速機の駆動損失につながる。そのため、シールリングのフリクションの低減が重要な課題となっている。また、自動変速機のオイルポンプの容量は、駆動損失の中で大きなウエイトを占めるため、シールリングからのオイル漏れ量を低減し、オイルポンプを小容量化することが望まれている。このように、自動変速機の駆動損失を低減し、自動車の燃費を向上させるため、
シールリングには低フリクション及び低リーク機能が要求されている。
　
図１にシールリングを用いた油圧回路の基本構造を示す。シールリング１は、軸２の外周面の油圧通路３の軸方向両側に形成された軸溝（リング溝）４に装着される。油圧通路３から供給される作動油をシールリングの受圧側面１１と内周面１２で受け、シールリングの外周面１３がハウジング５の内面と接触し、シールリングの接触側面１４が軸溝４の側面と接触することにより、油圧をシールする。
「[０００６]　
本発明は、上記事情に鑑みてなされたもので、低フリクション特性と低リーク特性を併せもち、自動変速機の駆動損失を低減し、自動車の燃費向上に貢献し得るシールリングを提供することを目的とする。
「[０００７]　上記目的に鑑み鋭意研究の結果、本発明者らは、
接触側面の内周側に周方向に離間して凹部が形成され、その間に柱部が配置されたシールリングにおいて、凹部の周方向両側の端部を柱部に向かって凸状の曲面からなる絞り部で構成すると、油の絞り込みにより発生する揚力が増加しフリクションが低減することを見出し、本発明を完成した。
「[０００８]　
本発明では、接触側面の内周側に柱部を介して周方向に離間した凹部を設け、その凹部の周方向両側の端部を柱部に向かって凸状の曲面からなる絞り部で構成する。柱部と凹部が緩やかなＲ形状で結ばれていることにより、油の絞り効果が向上し、揚力が増加するため、フリクションを効果的に低減することができる。また、本発明のシールリングでは、接触側面とリング溝側面が面で接触するため、油の漏れも抑制できる。このように、本発明のシールリングは、低フリクション及び低リークの両特性を併せもつ
「[００１０]　以下に本発明のシールリングについて図面を参照して詳細に説明する。
　図３（Ａ）に本発明のシールリングの斜視図を示し、図３（Ｂ）には、（Ａ）のシールリングの内周面から見た円周方向の直動展開図を示す。なお、以下の記載において、上記展開図における直線部を平面又は平坦面といい、曲線部を曲面という。
本形態では、図３（Ｂ）に示すように、凹部６両端は柱部７に向かって凸状の曲面、すなわち、内周面から見た円周方向の直動展開図（図３（Ｂ））において、上に凸状の曲面からなる絞り部２０で構成され、柱部７と連結している。このように柱部７と凹部６が緩やかな傾斜曲面で繋がれているため、特許文献２のシールリングの凹部６形状よりさらに絞り効果が向上し、揚力が増加して、フリクションが低減する。また、本形態では、図３（Ｂ）に示すように、凹部６の中央に側面に平行な凹部６最深部２１が形成され、最深部２１の両端から絞り部２０に向かい、最深部２１に向かって凸状の曲面、すなわち、図３（Ｂ）において下に凸状の曲面からなる斜面部２２が形成されている。そして、斜面部２２と絞り部２０との境界も緩やかな曲面で連結されている。斜面部２２をこのような構成とすることにより、より優れたフリクション低減効果を得ることができる。しかし、本発明のシールリングの斜面部２２は、このような曲面からなる構成に限定されず、平面単独としても、平面と曲面からなる構成としてもよい。
「[００１１]　
図４（Ａ）及び（Ｂ）には、凹部６の内周端に内壁８を設けた本発明のシールリングの別の形態を示す。図４（Ａ）の形態では、内壁８は、内周端部に沿って、凹部６の周方向の両端から凹部６の中央に向かって延び、凹部６の中央には内周面１２に向かって開口する油導入孔１０が備えられている。凹部６の内周側（端部）に内壁８を設けることにより、絞り込まれた油の楔斜面（絞り部）から内周面１２への流れが抑制され、楔断面の深さと円周方向の三次元での絞り効果により、さらに大きな揚力が作用する。このため、柱部に油膜が形成され、柱部が浮き上がると同時に、凹部６の外周側に位置する環状のシール面への油の介在が促進され、摩擦係数が低減する。また、接触側面の凹部６に油圧が作用し、押し付け荷重が低減する。これらの相乗効果により、フリクションがさらに低減する。
　本発明の効果は、凹部６をシールリングの接触側面に形成することにより得られる。しかし、本形態の凹部６形状は、周方向中央に対して両側が対称形状であるため、作業性を考慮すると、シールリングの接触側面及び受圧側面の両方に凹部６を設け、両側面とも対称で方向性のない構成とするのが好ましい。」
「[００１２]　図４（Ａ）では、内壁８を凹部６の両端に設けているが、図４（Ｂ）に示すように回転方向反対側の傾斜面（絞り部２０）の端部にのみ内壁８を設けることもできる。本構成では、シールリングが右回転することにより、回転方向反対側（左側）の絞り部２０先端に油が絞り込まれ、揚力が発生する（楔形状効果）。このように楔形状効果は回転方向反対側の絞り部２０で発生し、一方、回転方向側では、斜面の油膜が形成されにくく、潤滑状態が阻害される傾向にあるため、回転方向反対側にのみ内壁８を設けた本形態では、フリクションがさらに低減する。
　ここで、回転方向反対側のみに内壁を設けた場合、内壁８の周方向長さは、凹部全体の周方向長さを１００として、５〜９５とするのが好ましく、５０〜９５とするのがより好ましい。この範囲では、より優れた楔形状効果が得られ、フリクションがさらに低減する。
　図４（Ｃ）には、図４（Ａ）のシールリングの接触側面のスキャン画像を示す。ここで、内壁８は、凹部６端部から約４ｍｍの個所から凹部先端に向かって径方向幅が大きくなるように、すなわち、凹部の径方向幅が小さくなるように傾斜角度４°で傾斜している。また、凹部６の外周側のシール面は、凹部６の先端部に向かって、径方向幅が大きくなるように、すなわち、凹部６の径方向幅が小さくなるように傾斜角度３°で傾斜している。このように先端部に向かって径方向幅が小さくなり、さらに軸方向幅が小さく（深さが浅く）なる先細り形状の凹部６を有する本形態のシールリングでは、三次元の絞り効果がさらに向上する。このため、揚力が増加し、フリクションがさらに低減する。なお、本形態では、凹部６の先端は曲面で形成されている。
　図４（Ａ）及び（Ｂ）では、内壁８の軸方向の高さは、側面の高さとほぼ等しく設定され、すなわち、内壁８の先端面と、凹部６が形成されていない側面とが同一平面となるように設定されている。そして、内壁８を周方向に不連続に配置することにより、図４（Ａ）では、内壁８、８間に、図４（Ｂ）では、内壁８と柱部７との間に、内周面１２に向かって開口する油導入孔１０が形成されている。しかし、
油導入孔１０の構成は、これに限定されず、例えば、凹部６の周方向全域にわたって内壁８を形成し、内壁８の軸方向の高さを部分的にシールリング側面より低くなるように設計することにより、油導入孔１０を形成することもできる。
「[００２２]（実施例６〜１０）
　カーボン繊維を添加したＰＥＥＫ材を用いて、射出成形により、図４（Ａ）に示す構造の凹部形状を有するシールリングを作製した。それぞれの凹部の両端から中央に向かって内周端に沿って、幅０．３ｍｍ、周方向長さが片側１０ｍｍの内壁を設け、中央に周方向長さ４ｍｍの油導入孔を形成した。ここで、絞り部の曲率を変えて、最深部の深さｈが、それぞれ０．０３ｍｍ（実施例６）、０．０８ｍｍ（実施例７）、０．１２ｍｍ（実施例８）、０．２２ｍｍ（実施例９）及び０．４１ｍｍｍ（実施例１０）のシールリングを作製した。なお、シールリングの外径（呼び径）６７ｍｍ、厚み（径方向幅）は、２．３ｍｍ、幅（軸方向幅）は、２．３２ｍｍとし、合口は、図５に示すトリプルステップ合口とした。それぞれのシールリングのフリクション及び油漏れ量を実施例１と同様に測定した。」
「[００２３]　実施例６〜１０のシールリングのフリクションを測定した結果を図７に示す（■）。ここで、縦軸は、比較例１のシールリングのフリクションを１００として相対値で表した。また、横軸は、それぞれシールリングの最深部の深さｈをシールリングの軸方向幅を１００として相対値で表した。図７より、本発明のシールリングに内壁を設けることにより、フリクションがさらに低減することがわかった。これは、凹部の端部が柱部に向かって凸状の曲面で構成され、柱部と凹部が緩やかな傾斜角度で連結されている本発明のシールリングでは、内壁を設けることにより、油がより効果的に凹部の先端に絞り込まれ、揚力が増加し、柱部に油膜が形成されやすくなり、シール面が潤滑化され、摩擦係数が低減したためと考えられる。」
４　本件発明３について
（１）対比
　本件発明３と引用発明とを対比する。
ア　引用発明の「軸１」は、本件発明３の「軸」に相当する。
イ　以下同様に、「環状溝４」は「環状溝」に、
「ケース２」は、「ハウジング」に、
「シール」は「封止」に、
「シールリング５、５」は、「シールリング」に相当する。
　したがって、引用発明の「軸１の外周に形成された対の離間した環状溝４に装着され」る「シールリング５、５」は、本件発明３の「軸の外周に設けられた環状溝に装着され」る「シールリング」に相当する。
ウ　引用発明は、「軸１の外周に形成された対の離間した環状溝４に」、「シールリング５、５」を「装着」し、「相対的に回転する前記軸１とケース２との間に環状隙間を形成し」、「シールリング５、５」によって、「前記両環状溝４、４間の油路に供給される作動油３をシールしている」ものであり、ここで、「作動油３」の油圧は技術的にみて変化するものであるといえるし、また、「環状隙間」は、シール対象領域であるといえる。
　したがって、引用発明の「相対的に回転する前記軸１とケース２との間に環状隙間を形成し、前記両環状溝４、４間の油路に供給される作動油３をシール」することは、本件発明３の「相対的に回転する前記軸とハウジングとの間の環状隙間を封止して、流体圧力が変化するように構成されたシール対象領域の流体圧力を保持する」ことに相当する。
エ　引用発明の「環状溝４の側面４ａ」は、作動油３が供給される側とは反対側にあるので、本件発明３の「前記環状溝における低圧側の側壁面」に相当する。
　したがって、引用発明の「シールリング５、５は、油圧によって環状溝４の側面４ａに押しつけられた状態で、環状溝側面４ａと相対的に摺動する」ことは、
　本件発明３の「シールリング」が「前記環状溝における低圧側の側壁面に対して摺動する」ことに相当する。
オ　引用発明の「シールリング５、５の環状溝４と相対するシールリング側面７ａ」は、本件発明３の「前記側壁面に対して摺動する摺動面側」に相当する。
カ　引用発明の「油溝９」と「クサビ効果発生傾斜面１０ａ、１０ｂとしての凹部」は、油溝９から導入された作動油３により楔効果による動圧を発生させるものであるといえるから、本件発明３の「動圧発生用溝」との対比において、「動圧発生用凹部」との限度で一致する。
　また、引用発明の「クサビ効果発生傾斜面１０ａ、１０ｂとしての凹部」が、「径方向の幅がほほ一定で周方向に伸びて」いることは、本件発明３の「径方向の幅が一定で周方向に伸び」る「動圧発生用溝が設けられている」こととの対比において、「周方向に伸び」る「動圧発生用凹部が設けられている」ことの限度で一致する。
　さらに、引用発明の「油溝９とクサビ効果発生傾斜面１０ａ、１０ｂとしての凹部は、前記側面４ａに対して摺動する摺動領域内に収まる位置に設けられて」いることは、本件発明３の「第１溝は、前記側壁面に対して摺動する摺動領域内に収まる位置に設けられている」こととの対比において、「動圧発生用凹部は、前記側壁面に対して摺動する摺動領域内に収まる位置に設けられている」との限度で一致する。
キ　引用発明の「油溝９」と「クサビ効果発生傾斜面１０ａ、１０ｂとしての凹部」からなる動圧発生用凹部について、「油溝９は油溝９とクサビ効果発生傾斜面１０ａ、１０ｂと繋がる部分より深く構成されており、クサビ効果発生傾斜面１０ａ、１０ｂとしての凹部は、油溝９と繋がる周方向の中央に比べて両端側の方が浅くなるように構成されて」いるから、動圧発生用凹部の中央の部分（油溝９の部分）の深さが、それ以外の部分（クサビ効果発生傾斜面１０ａ、１０ｂと しての凹部）の深さよりも深く構成されると共に、周方向の中央の部分（油溝９の部分）とそれ以外の部分（クサビ効果発生傾斜面１０ａ、１０ｂとしての凹部）との間には段差が設けられていると共に、それ以外の部分（クサビ効果発生傾斜面１０ａ、１０ｂとしての凹部）の溝底は、周方向の中央の部分（油溝９の部分）に比べて両端側の方が浅くなるように構成されているといえる。また、引用発明は、「クサビ効果発生傾斜面１０ａ、１０ｂとしての凹部は、全体が油溝９と繋がる周方向の中央から平面状に両側に向かって徐々に浅くなるように構成されている」ものである。
　したがって、引用発明の「油溝９は油溝９とクサビ効果発生傾斜面１０ａ、１０ｂとしての凹部と繋がる部分より深く構成されており、クサビ効果発生傾斜面１０ａ、１０ｂとしての凹部は、油溝９と繋がる周方向の中央に比べて両端側の方が浅くなるように構成されており、クサビ効果発生傾斜面１０ａ、１０ｂとしての凹部は、全体が油溝９と繋がる周方向の中央から平面状に両側に向かって徐々に浅くなるように構成されている」ことは、本件発明３の「第１溝のうち第２溝と繋がる部分の深さが、第２溝の深さと同じであり、かつ第１溝における第２溝と繋がる部分以外の部分の深さよりも深く構成されると共に、第１溝のうち第２溝と繋がる部分と当該繋がる部分以外の部分との間には段差が設けられると共に、第１溝の溝底は、周方向の中央に比べて両端側の方が浅くなるように構成されており、第１溝の溝底のうち第２溝と繋がる部分以外全体が、周方向の中央から平面状に両側に向かって徐々に浅くなるように構成されている」こととの対比において、「動圧発生用凹部における、動圧発生用凹部の中央の部分の深さが、それ以外の部分の深さよりも深く構成されると共に、周方向の中央の部分とそれ以外の部分との間には段差が設けられていると共に、それ以外の部分の溝底は、周方向の中央の部分に比べて両端側の方が浅くなるように構成されており、それ以外の部分の溝底の全体が、周方向の中央から平面状に両側に向かって徐々に浅くなるように構成されている」との限度で一致する。
ク　以上のとおりであるから、本件発明３と引用発明との一致点及び相違点は次のとおりとなる。
［一致点］
　「軸の外周に設けられた環状溝に装着され、相対的に回転する前記軸とハウジングとの間の環状隙間を封止して、流体圧力が変化するように構成されたシール対象領域の流体圧力を保持するシールリングであって、
　前記環状溝における低圧側の側壁面に対して摺動するシールリングにおいて、
　前記側壁面に対して摺動する摺動面側には、周方向に伸び、動圧を発生させるための動圧発生用凹部が設けられており、
　動圧発生用凹部は、前記側壁面に対して摺動する摺動領域内に収まる位置に設けられていると共に、
　動圧発生用凹部における、動圧発生用凹部の中央の部分の深さが、それ以外の部分の深さよりも深く構成されると共に、周方向の中央の部分とそれ以外の部分との間には段差が設けられていると共に、それ以外の部分の溝底は、周方向の中央の部分に比べて両端側の方が浅くなるように構成されており、それ以外の部分の溝底の全体が、周方向の中央から平面状に両側に向かって徐々に浅くなるように構成されているシールリング。」
［相違点１］
　動圧発生用凹部について、本件発明３は、「径方向の幅が一定」の「溝」であるのに対し、引用発明は、「径方向の幅がほぼ一定」の「凹部」である点。
［相違点２］
　動圧発生用凹部について、本件発明３は、「動圧を発生させるための第１溝と、第１溝における周方向の中央の位置から内周面に至るまで伸び、密封対象流体を第１溝内に導く第２溝とを有する」ものであるのに対し、引用発明は、「シールリング内周面側８に開口した径方向に延在する油溝９と、その油溝９の周方向の両側にシールリング側面７ａと接続するクサビ効果発生傾斜面１０ａ、１０ｂとしての凹部を周方向に複数離間配置」した凹部であり、溝（第１溝）とはいえないし、本件発明３の「第２溝」に相当する構成も備えていない点。
　そして、このため、本件発明３の「第１溝のうち第２溝と繋がる部分の深さが、第２溝の深さと同じ」という構成、「第１溝における第２溝と繋がる部分」という構成、及び「第１溝の溝底のうち第２溝と繋がる部分」という構成が、引用発明には存在しないこととなる。
（２）判断
ア　相違点２について
　まず、相違点２について検討する。
　甲第１号証の段落[０００１]、[０００２]、[０００６]〜[０００８]、［００１０］〜［００１２］、［００２２］及び［００２３］並びに［図４］及び［図７］の記載から、甲第１号証には、本件発明３と同様のシールリングであって、シールリング接触側面１４（摺動面側）に、周方向に伸びる動圧発生用凹部６を設けたものにおいて、凹部６の回転方向及び回転方向反対側内周端に内壁８を設けることによって、内壁８間に備えられた油導入孔１０から導入された油をより効果的に凹部６の先端に絞り込むようにして、摩擦係数を低減する技術的事項（以下、「甲１技術的事項」という。）が記載されているといえる。
　引用発明においても、油溝９から導入された作動油３をより効果的にクサビ効果発生傾斜面１０ａ、１０ｂとしての凹部へ導入し摩擦係数を低減するという課題は内在しており、当業者であればかかる課題を容易に認識可能であるといえるから、かかる課題解決のために、引用発明に、甲１技術的事項を適用することは当業者には容易であったというべきである。
　そして、引用発明に、甲１技術的事項を適用すれば、クサビ効果発生傾斜面１０ａ、１０ｂとしての凹部の回転方向及び回転方向反対側の内周面側８に壁が設けられた構成となり、かかる回転方向及び回転方向反対側の内周面側８に壁が設けられたクサビ効果発生傾斜面１０ａ、１０ｂとしての凹部は、本件発明３の「第１の溝」に相当する構成となると共に、回転方向及び回転方向反対側の内周面側８に設けられた壁間によって構成される油導入孔は、本件発明３の「第２の溝」に相当する構成となる。これによって、引用発明においても、本件発明３の「第１溝のうち第２溝と繋がる部分の深さが、第２溝の深さと同じ」という構成、「第１溝における第２溝と繋がる部分」という構成、及び「第１溝の溝底のうち第２溝と繋がる部分」という構成に相当する構成が得られることにもなる。
　したがって、相違点２に係る本件発明３の構成は、引用発明に甲１技術的事項を適用することにより、当業者であれば容易に想到し得たものであるといえる。
イ　相違点１について
　上記アで説示のとおり、引用発明に甲１技術的事項を適用し、引用発明の凹部を溝として形成することは当業者にとって容易になし得たことであるというべきであるところ、ここで、シールリングに動圧発生用の溝を設けた場合、当該溝の幅がほぼ一定であるか、あるいは、一定であるかによって、動圧を発生させるという作用効果について顕著な差違があるとは認められないから、動圧発生用の溝の幅を一定なものとすることは、溝の工作上の観点等から当業者にとって設計上の一事項であるというべきである。
ウ　作用効果について
　本件発明３の作用効果は、引用発明及び甲１技術的事項に基いて当業者であれば予測し得たものであり、格別なものとはいえない。
エ　小括
　よって、本件発明３は、引用発明及び甲１技術的事項に基いて当業者が容易に発明をすることができたものである。
５　本件発明５について
（１）対比
　本件発明５と引用発明とを対比する。
ア　上記４（１）ア〜カについては、本件発明５と引用発明との対比においても同様である。
イ　引用発明の「油溝９」と「クサビ効果発生傾斜面１０ａ、１０ｂとしての凹部」からなる動圧発生用凹部について、「油溝９は油溝９とクサビ効果発生傾斜面１０ａ、１０ｂと繋がる部分より深く構成されており、クサビ効果発生傾斜面１０ａ、１０ｂとしての凹部は、油溝９と繋がる周方向の中央に比べて両端側の方が浅くなるように構成されて」いるから、動圧発生用凹部の中央の部分（油溝９の部分）の深さが、それ以外の部分（クサビ効果発生傾斜面１０ａ、１０ｂとしての凹部）の深さよりも深く構成されると共に、周方向の中央の部分（油溝９の部分）とそれ以外の部分（クサビ効果発生傾斜面１０ａ、１０ｂとしての凹部）との間には段差が設けられていると共に、それ以外の部分（クサビ効果発生傾斜面１０ａ、１０ｂとしての凹部）の溝底は、周方向の中央の部分（油溝９の部分）に比べて両端側の方が浅くなるように構成されているといえる。
　したがって、引用発明の「油溝９は油溝９とクサビ効果発生傾斜面１０ａ、１０ｂとしての凹部と繋がる部分より深く構成されており、クサビ効果発生傾斜面１０ａ、１０ｂとしての凹部は、油溝９と繋がる周方向の中央に比べて両端側の方が浅くなるように構成されて」いることは、本件発明５の「第１溝のうち第２溝と繋がる部分の深さが、第２溝の深さと同じであり、かつ第１溝における第２溝と繋がる部分以外の部分の深さよりも深く構成されると共に、第１溝のうち第２溝と繋がる部分と当該繋がる部分以外の部分との間には段差が設けられると共に、第１溝の溝底は、周方向の中央に比べて両端側の方が浅くなるように構成されて」いることとの対比において、「動圧発生用凹部の中央の部分の深さが、それ以外の部分の深さよりも深く構成されると共に、周方向の中央の部分とそれ以外の部分との間には段差が設けられていると共に、それ以外の部分の溝底は、周方向の中央の部分に比べて両端側の方が浅くなるように構成され」ているとの限度で一致する。
ウ　以上のとおりであるから、本件発明５と引用発明との一致点及び相違点は次のとおりとなる。
［一致点］
　「軸の外周に設けられた環状溝に装着され、相対的に回転する前記軸とハウジングとの間の環状隙間を封止して、流体圧力が変化するように構成されたシール対象領域の流体圧力を保持するシールリングであって、
　前記環状溝における低圧側の側壁面に対して摺動するシールリングにおいて、
　前記側壁面に対して摺動する摺動面側には、周方向に伸びる動圧を発生させるための動圧発生用凹部が設けられており、
　動圧発生用凹部は、前記側壁面に対して摺動する摺動領域内に収まる位置に設けられていると共に、
　動圧発生用凹部における、動圧発生用凹部の中央の部分の深さが、それ以外の部分の深さよりも深く構成されると共に、周方向の中央の部分とそれ以外の部分との間には段差が設けられていると共に、それ以外の部分の溝底は、周方向の中央の部分に比べて両端側の方が浅くなるように構成されているシールリング。」
［相違点Ａ］
　動圧発生用凹部について、本件発明５は、「径方向の幅が一定」であるのに対し、引用発明は、「径方向の幅がほぼ一定」である点。
［相違点Ｂ］
　動圧発生用凹部について、本件発明５は、「動圧を発生させるための第１溝と、第１溝における周方向の中央の位置から内周面に至るまで伸び、密封対象流体を第１溝内に導く第２溝とを有する」ものであるのに対し、引用発明は、「シールリング内周面側８に開口した径方向に延在する油溝９と、その油溝９の周方向の両側にシールリング側面７ａと接続するクサビ効果発生傾斜面１０ａ、１０ｂとしての凹部を周方向に複数離間配置」した凹部にすぎず、溝（第１溝）とはいえないし、本件発明５の「第２溝」に相当する構成も備えていない点。
　そして、このため、本件発明５の「第１溝のうち第２溝と繋がる部分の深さが、第２溝の深さと同じ」という構成、「第１溝における第２溝と繋がる部分」という構成、及び「第１溝の溝底のうち第２溝と繋がる部分」という構成が、引用発明には存在しないこととなる。
［相違点Ｃ］
　動圧発生用凹部について、本件発明５が「第１溝の溝底のうち第２溝と繋がる部分以外全体が、周方向の中央から階段状に両側に向かって浅くなるように構成されている」のに対し、引用発明は、「クサビ効果発生傾斜面１０ａ、１０ｂとしての凹部は、全体が油溝９と繋がる周方向の中央から平面状に両側に向かって徐々に浅くなるように構成されている」ものである点。
（２）判断
ア　相違点Ａ及びＢは、実質的に相違点１及び２と同じ内容であり、上記４（２）で検討済みであるといえるので、相違点Ｃについて検討する。
　甲第２号証には、クサビ効果発生傾斜面１０ａ、１０ｂとしての凹部の形状について、引用発明のような平面状の他、放物線状であってもよいとの記載はあるものの（段落【００１３】を参照。）、周方向の中央から階段状に両側に向かって浅くなる形状を取り得ることの記載ないし示唆はない。
　また、甲第１号証にも、甲第１号証に記載のものの、動圧発生用凹部といえる凹部６について、周方向の中央から両側端部に向かって全体が階段状に浅くなる形状を取り得ることの記載ないし示唆はない。
　したがって、本件発明５は、引用発明及び甲第１号証に記載の事項に基いて、当業者が容易に発明をすることができたものとはいえない。
イ　甲第１号証に記載のものの凹部６は、その両端が柱部７に向かって凸状の曲面からなる絞り部２０を具備することによる絞り効果を意図するものであるから（段落［０００７］及び［００１０］を参照。）、当該絞り部２０を、階段状に両側に向かって浅くなるように構成することは当業者にとって単なる設計事項とはいえず容易になし得ない。
　したがって、本件発明５は、引用発明及び甲１技術的事項に基づいて当業者が容易に発明をすることができたものではない。
６　特許権者の意見について
（１）特許権者は、取消理由（決定の予告）に対し、令和２年１０月２６日提出の意見書において、次のように主張する。
　「引用発明においては、摩擦損失の低減と、シール性とを両立させることを目的としています。
　そして、この目的を達成するために、引用発明においては、シールリングの側面に、内周面側にのみ開口した油溝と、その油溝の周方向の両側に該シールリング側面の平面と接続するクサビ効果発生傾斜面としての凹部を周方向に複数配置させる構成を採用しています。
　このような構成を採用することで、・・・（中略）・・・引用発明におけるシールリングは、・・・（中略）・・・環状溝の側面とシールリング側面との間においては、内周面側では油膜を厚くして、外周面側では油膜を薄くさせて、環状溝内において、
内周面側に比べて外周面側が環状溝側面に近づくようにシールリングが少し傾いた状態となるようにし、内周面側で摩擦損失の低減を図り、外周面側でシール性を高める
　仮に、引用発明に甲１技術的事項を適用し、クサビ効果発生傾斜面１０ａ、１０ｂとしての凹部の回転方向及び回転方向反対側内周面側８に壁（甲２に記載の内壁８）を設けた場合には、内周面側８の壁を設けた部分では、クサビ効果が発揮されません。
　そのため、引用発明に甲１技術的事項を適用したシールリングにおいては、径方向中央のクサビ効果発生傾斜面１０ａ、１０ｂが設けられた部位においてのみ油膜圧力による浮力が発生し、シールリングの外周面側と内周面側では、そのような浮力が発生しないため、環状溝内でシールリングが傾くことはなく、『シールリングと環状溝との間の油膜は、シールリングの側面形状と油膜圧力による浮力とにより、シールリング内周面側に比べ外周側で薄くなる』といった作用効果は得られません。
　従いまして、摩擦損失の低減と、シール性とを両立させるといった引用発明の目的を達成することができなくなってしまいます。
　以上より、当業者にとって、引用発明において、甲１技術的事項を適用すると、引用発明における目的を達成することができなくなりますので、引用発明に甲１技術的事項を適用することについては、技術的阻害要因があると言えます。」（第５ページ第３行〜末行。）
（２）甲第１号証は、シールリング接触面側の内周側に凹部を形成し、外周側は凹部の無い構成とすることにより、シールリングにおける凹部の絞り効果による揚力の増加によるフリクション（摩擦損失）の低減と、シールリング接触面側の外周側とリング溝側面との面接触による油漏れの抑制（シール性）との両立を図ることを目的とするものであるところ（甲第１号証の段落［０００６］〜［０００８］を参照。）、甲１技術的事項は、凹部６の回転方向及び回転方向反対側内周端に内壁８を設けることによって、内壁８間に備えられた油導入孔１０から導入された油をより効果的に凹部６の先端に絞り込むようにして、さらなる摩擦係数を低減する効果を期待するものである（甲第１号証の段落［００１１］、［００１２］、［００２２］及び［００２３］並びに［図４］及び［図７］を参照。）。そして、ここで甲１技術的事項が、甲第１号証の［図３］に示された実施態様（凹部に内壁を設けていないもの）の別実施態様として示されていることからすれば、甲１技術的事項も、凹部６の回転方向及び回転方向反対側内周端に内壁８を設けたとしても、シールリング接触面側の外周側とリング溝側面との面接触による油漏れの抑制効果は依然として奏されており、フリクション（摩擦損失）の低減と、油漏れの抑制（シール性）の両立は図れるものと当業者は理解することができる。
　したがって、引用発明に甲１技術的事項を適用しても、摩擦損失の低減と、シール性とを両立させるという引用発明の目的を達成することができなくなるとはいえない。
　また、引用発明に甲１技術的事項を適用したものも、シールリング側面７ａの内周側に設けられているクサビ効果発生面１０ａ、１０ｂによる内周側での油膜圧力による浮力によって、環状溝内において、シールリングの側面が内周面側に比べて外周面側が環状溝側面に近づくような力を受けているものといえるから、引用発明と同様に内周面側に比べて外周面側の油膜は薄くなっているともいえる。
　よって、特許権者の上記主張は採用できない。
第５　むすび
　以上のとおり、本件発明３は、甲第１号証及び甲第２号証に基いて当業者が容易に発明をすることができたものであるから、本件発明３に係る特許は、特許法第２９条第２項の規定に違反してされたものである。
　したがって、本件発明３の特許は、特許法第１１３条第２号に該当し、取り消されるべきものである。
　また、本件発明５は、甲第１号証及び甲第２号証に基いて当業者が容易に発明をすることができたものではなく、取消理由通知書（決定の予告）に記載した取消理由又は特許異議申立書に記載された特許異議申立理由によっては、本件発明５に係る特許を取り消すことはできないし、他に本件発明５に係る特許を取り消すべき理由を発見しない。
　さらに、請求項１、２及び４に係る特許は、上記のとおり訂正により削除された。これにより、特許異議申立人による特許異議申立てについて、請求項１、２及び４に係る申立ては、申立ての対象が存在しないものとなったため、特許法第１２０条の８第１項で準用する同法第１３５条の規定により却下する。
　よって、結論のとおり決定する。
【異議決定日】
令和３年２月１２日（２０２１．２．１２）
【訂正の要旨】
審決（決定）の【理由】欄参照。
（５７）【特許請求の範囲】
　【請求項１】
　（削除）
　【請求項２】
　（削除）
　【請求項３】
　軸の外周に設けられた環状溝に装着され、相対的に回転する前記軸とハウジングとの間の環状隙間を封止して、流体圧力が変化するように構成されたシール対象領域の流体圧力を保持するシールリングであって、
　前記環状溝における低圧側の側壁面に対して摺動するシールリングにおいて、
　前記側壁面に対して摺動する摺動面側には、径方向の幅が一定で周方向に伸び、動圧を発生させるための第１溝と、第１溝における周方向の中央の位置から内周面に至るまで伸び、密封対象流体を第１溝内に導く第２溝とを有する動圧発生用溝が設けられており、
　第１溝は、前記側壁面に対して摺動する摺動領域内に収まる位置に設けられていると共に、
　第１溝のうち第２溝と繋がる部分の深さが、第２溝の深さと同じであり、かつ第１溝における第２溝と繋がる部分以外の部分の深さよりも深く構成されると共に、第１溝のうち第２溝と繋がる部分と当該繋がる部分以外の部分との間には段差が設けられると共に、
　第１溝の溝底は、周方向の中央に比べて両端側の方が浅くなるように構成されており、
　第１溝の溝底
のうち第２溝と繋がる部分以外全体
るシ
　【請求項４】
　（削除）
　【請求項５】
　軸の外周に設けられた環状溝に装着され、相対的に回転する前記軸とハウジングとの間の環状隙間を封止して、流体圧力が変化するように構成されたシール対象領域の流体圧力を保持するシールリングであって、
　前記環状溝における低圧側の側壁面に対して摺動するシールリングにおいて、
　前記側壁面に対して摺動する摺動面側には、径方向の幅が一定で周方向に伸び、動圧を発生させるための第１溝と、第１溝における周方向の中央の位置から内周面に至るまで伸び、密封対象流体を第１溝内に導く第２溝とを有する動圧発生用溝が設けられており、
　第１溝は、前記側壁面に対して摺動する摺動領域内に収まる位置に設けられていると共に、
　第１溝のうち第２溝と繋がる部分の深さが、第２溝の深さと同じであり、かつ第１溝における第２溝と繋がる部分以外の部分の深さよりも深く構成されると共に、第１溝のうち第２溝と繋がる部分と当該繋がる部分以外の部分との間には段差が設けられると共に、
　第１溝の溝底は、周方向の中央に比べて両端側の方が浅くなるように構成されており、
　第１溝の溝底
のうち第２溝と繋がる部分以外全体
るシ